(57)【要約】【課題】ユーザーが利用形態に応じて形状及びサイズを自由に設計できると共に、枠体と枠体の間に隙間が生じることもない飛沫感染防止パネルを提供する。【解決手段】飛沫をブロックするシート部３１と、シート部３１の周囲を補強する枠体４１のうち直線部を構成するフレーム部１０と、枠体４１の角部を構成すると共に、フレーム部１０と嵌合するコーナー部２０を備えた飛沫感染防止パネル１０１である。フレーム部１０は、嵌着及び分離が可能な複数のフレーム要素１からなる。【選択図】図３Ａ
0003228271.tif 000002
【実用新案登録請求の範囲】
【請求項１】
飛沫をブロックするシート部を取付ける枠体のうち直線部を構成するフレーム部と、
前記枠体の角部を構成すると共に、前記フレーム部と嵌合するコーナー部を備え、
前記フレーム部は、嵌着及び分離が可能な複数のフレーム要素からなる、飛沫感染防止パネル。
【請求項２】
前記フレーム部同士を結合するクリップ部を備え、
前記クリップ部は、前記フレーム部の外周面と接する保持部と、前記保持部同士を連結する連結部を有しており、
前記フレーム要素は、その長手方向と交差する向きに少なくとも１箇所以上、溝部が刻設されており、
前記フレーム部同士を前記クリップ部で結合するときに、一方のフレーム部と他方のフレーム部の前記溝部同士を対向させた空間に前記連結部が嵌合されるようにした、請求項１に記載の飛沫感染防止パネル。
【請求項３】
前記フレーム部に任意の物品を取り付けるための取付け手段、もしくは、固定対象物に前記フレーム部を固定するための固定手段を備えた、請求項１又は２に記載の飛沫感染防止パネル。
【考案の詳細な説明】
【技術分野】
【０００１】
本考案は、飛沫感染防止パネルに関するものである。
【０００２】
より詳しくは、本考案は、フレーム部、コーナー部、クリップ部などを構成要素とし、これらの構成要素から必要なものを選択し、必要な数だけ繋ぎ合わせることにより、ユーザーが利用形態に応じてその形状及びサイズを自由に設計できる飛沫感染防止パネルに関するものである。
【背景技術】
【０００３】
感染症には、接触感染、空気感染、飛沫感染などの種々の感染ルートがあるが、例えば２０２０年に世界中に感染が拡大した新型コロナウイルスでは、飛沫感染が主要な感染ルートと考えられている。人との距離が近くなりやすい会議室、店舗のレジ、受付窓口、トレーニングジム、娯楽施設、交通機関の車内、イベント会場、飲食店のテーブル、教室での席、避難所などに感染者が居ると、感染者のくしゃみや咳によってウイルスが空気中に曝露され、感染者の近隣位置に居合わせた人の感染リスクが高くなる。また、ウイルスを含む飛沫がエアコンや通気風の気流に乗って一定の方向に漂うと、その方向に居合わせた複数の人が集団感染するリスクもある。
【０００４】
そこで、例えば、透明な樹脂製のシートで着席した人の正面及び左右側面を仕切る３面構成の飛沫感染防止用のパーティションや、隣の席の人との間に透明なアクリル板を設置して飛沫感染を防止する間仕切りが販売されている（非特許文献１及び２）。
【０００５】
しかし、非特許文献１のパーティションは、もっぱら対面の営業シーンを想定して設計されたものである。そのため、このパーティションを、例えば会議室の８人掛けのテーブル上で使用しようとしても、サイズ及び形状が合わないことになる。
【０００６】
また、非特許文献２の間仕切りは、飲食店のカウンター、テーブル席での使用を想定したものである。これを例えば新幹線の座席間を仕切る用途や、パチンコ店の遊技機の間を仕切る用途に使用しようとしても、やはりサイズ及び形状が適合しない。
【０００７】
そこで、樹脂製のシートと枠体からなる長方形状の１面構成の飛沫感染防止パネルを例えば３枚購入し、ユーザーが枠体同士をクリップで結合し、平面視コの字状に組み合わせてテーブル上で使用する場合がある。
【０００８】
しかし、単体で販売されている飛沫感染防止パネルの枠体同士をクリップで結合して使用すると、枠体と枠体の間にクリップの幅だけ縦方向に隙間が生じてしまい、その隙間を通じてウイルスを含む飛沫が侵入するリスクが生じてしまう。
【先行技術文献】
【非特許文献】
【０００９】
【非特許文献１】株式会社チヨダディステムのサイト、「商品カテゴリ」「飛沫感染対策用什器・サイン特集」「飛沫防止パーティション」のページ、［online］、［２０２０年６月２３日検索］、インターネット＜URL：https://www.distem.co.jp/product/kansentaisaku/antivirus-partition.html＞
【非特許文献２】表示灯株式会社のサイト、「テーブルガード」のページ、［online］、［２０２０年６月２３日検索］、インターネット＜https://pr.hyojito.co.jp/table-guard/?utm_source=glisting&gclid=EAIaIQobChMI7u7WhrCX6gIVRKWWCh3KOQI9EAAYASAAEgLWUfD_BwE＞
【考案の概要】
【考案が解決しようとする課題】
【００１０】
本考案が解決しようとする課題は、従来の飛沫感染防止パネルは、利用形態が限定されており他の形態に転用することは困難であった点である。また、単体で販売されている飛沫感染防止パネルを組み合わせて使用すると、枠体と枠体の隙間からウイルスが侵入するおそれがある。
【課題を解決するための手段】
【００１１】
本考案は、ユーザーが利用形態に応じて形状及びサイズを自由に設計できると共に、枠体と枠体の間に隙間が生じることもない飛沫感染防止パネルを提供することを目的とし、以下に列記する構成を主要な特徴点としている。
【００１２】
第１考案は、
飛沫をブロックするシート部を取付ける枠体のうち直線部を構成するフレーム部と、
前記枠体の角部を構成すると共に、前記フレーム部と嵌合するコーナー部を備え、
前記フレーム部は、嵌着及び分離が可能な複数のフレーム要素からなる構成である。
【００１３】
第２考案は、第１考案において、
前記フレーム部同士を結合するクリップ部を備え、
前記クリップ部は、前記フレーム部の外周面と接する保持部と、前記保持部同士を連結する連結部を有しており、
前記フレーム要素は、その長手方向と交差する向きに少なくとも１箇所以上、溝部が刻設されており、
前記フレーム部同士を前記クリップ部で結合するときに、一方のフレーム部と他方のフレーム部の前記溝部同士を対向させた空間に前記連結部が嵌合されるようにした構成である。
【００１４】
第３考案は、第１又は第２考案において、
前記フレーム部に任意の物品を取り付けるための取付け手段、もしくは、固定対象物に前記フレーム部を固定するための固定手段を備えた構成である。
【考案の効果】
【００１５】
本発明の飛沫感染防止パネルの枠体は、直線部を構成するフレーム部と角部を構成するコーナー部が互いに嵌合して接続可能な構成である。そして、フレーム部は、嵌着及び分離が可能な複数のフレーム要素からなる。
【００１６】
従って、例えばフレーム要素として９０ｍｍ、１２０ｍｍ、１５０ｍｍの３サイズを準備すれば、これらのフレーム要素を必要な数だけ選択し、フレーム要素同士を嵌着することにより多様な長さのフレーム部が得られ、設置環境に適合した、ユーザーが所望するサイズの枠体を提供できる。また、例えばコーナー部として６０°、７２°、９０°、１２０°の４種類を準備すれば、正方形、長方形のみならず、台形、三角形、五角形、六角形等、ユーザーが設計できる枠体の形状も多様となる。
【００１７】
また、クリップ部を備えた本発明の飛沫感染防止パネルによれば、一方のフレーム部と他方のフレーム部の溝部同士を対向させた空間にクリップ部の連結部が嵌合される。従って、フレーム部同士を密着させて結合することができ、枠体の隙間からウイルスが侵入するおそれがなくなる。
【００１８】
加えて、任意の物品を取り付けるための取付け手段、もしくは、固定対象物に固定するための固定手段を備えた本発明の飛沫感染防止パネルによれば、人の頭部、自動車の運転席と助手席の間、ショッピングカート、ペットボトル、帽子、公共交通機関の座席間、映画館や観劇場の座席間、病室のベッド等、飛沫感染防止パネルを設置する対象並びに用途が拡大する。
【図面の簡単な説明】
【００１９】
【図１Ａ】図１Ａは、実施形態に係る飛沫感染防止パネルのフレーム要素を６方向から見た図である。
【図１Ｂ】図１Ｂは、フレーム部の斜視図である。
【図２Ａ】図２Ａは、実施形態に係る飛沫感染防止パネルのコーナー部を６方向から見た図である。
【図２Ｂ】図２Ｂは、コーナー部の斜視図である。
【図３Ａ】図３Ａは、枠体とシート部を用いて構成される飛沫感染防止パネルを示す図である。
【図３Ｂ】図３Ｂは、クリップ部の使用例を示す図である。
【図３Ｃ】図３Ｃは、コーナー部（１２０°）の使用例を示す図である。
【図４Ａ】図４Ａは、実施形態に係る飛沫感染防止パネルのクリップ部を６方向から見た図である。
【図４Ｂ】図４Ｂは、クリップ部の斜視図である。
【図５Ａ】図５Ａは、２つのフレーム部の溝部同士が対向するように密接して並べた状態を示す図である。
【図５Ｂ】図５Ｂは、図５Ａの状態のフレーム部に図４Ａのクリップ部を取り付けた状態を示す図である。
【図６Ａ】図６Ａは、実施形態に係る飛沫感染防止パネルのオプション部を６方向から見た図である。
【図６Ｂ】図６Ｂは、オプション部の斜視図である。
【図７】図７は、フレーム要素の他の例を示す図である。
【図８Ａ】図８Ａは、クリップ部の他の例を示す図である。
【図８Ｂ】図８Ｂは、クリップ部の他の例を示す図である。
【図９】図９は、コーナー部の他の例を示す図である。
【図１０】図１０は、枠体のみで構成され、シート部を使用しない実施例を示す図である。
【図１１】図１１は、オプション部の他の例を示す図である。
【考案を実施するための最良の形態】
【００２０】
以下、図面を参照しながら、本考案を実施するための最良の形態について詳細に説明する。なお、以下の実施形態の説明は、本考案、その適用物、その用途の範囲を制限することを意図するものではない。
【実施例】
【００２１】
［フレーム要素］（図１Ａ、図１Ｂ）
１は、長手方向にリブを有する横断面略円形の６０ｍｍサイズのフレーム要素である。１ａを正面とした場合、１ｂは左側面、１ｃは右側面、１ｄは背面、１ｅは平面、１ｆは底面から見た状態を示している。フレーム要素１は、その長手方向の一端に凸状部２を、他端に凸状部２と嵌合可能な凹状部３を備える。
【００２２】
あるフレーム要素１の凸状部２と隣接する他のフレーム要素１の凹状部３を接続することにより、フレーム要素１は直列方向に必要な数だけ連結することができる。この凸状部２と凹状部３によって嵌着及び分離が可能な複数のフレーム要素１を連結したものがフレーム部１０である。
【００２３】
凸状部２の周面は、９０°間隔で計３箇所、突起２ａを備える。突起２ａが凹状部３の内面に設けた溝３ａと係合することにより、凸状部２と凹状部３が強く嵌め合わされると共に、フレーム要素１同士が軸方向に回転するのを防止する。
【００２４】
フレーム要素１は、長手方向にパネル部３０を嵌めるためのスリット４が設けられている。また、フレーム要素１は、その長手方向と交差する向きに、少なくとも１箇所以上、溝部５が刻設されている。本実施形態では、フレーム要素１つあたり４個の溝部５が刻設されている。
【００２５】
［コーナー部］（図２Ａ、図２Ｂ）
２０は、フレーム部１０同士を直角に接続する場合に用いるコーナー部である。２０ａを正面とした場合、２０ｂは左側面、２０ｃは右側面、２０ｄは背面、２０ｅは平面、２０ｆは底面から見た状態を示している。コーナー部２０は、その直線部分の一方に凸状部２２を、他方に凸状部２２と嵌合可能な凹状部２３を備える。コーナー部２０は、フレーム要素１の凸状部２もしくは凹状部３と接続される。
【００２６】
凸状部２２の周面は、９０°間隔で計３箇所、突起２２ａを備える。突起２２ａはフレーム要素１の凹状部３の内面に設けた溝３ａと係合することにより、凸状部２２と凹状部３が強く嵌め合わされると共に、コーナー部２０とフレーム要素１が軸方向に回転するのを防止する。凹状部２３の内面には溝２３ａがあり、フレーム要素１の凸状部２の突起２ａと係合する。また、コーナー部２０は、その内側にパネル部３０を嵌めるためのスリット２４が設けられている。
【００２７】
［フレーム部、シート部］（図３Ａ〜図３Ｃ）
飛沫感染防止パネル１０１，１０２は、ウイルスを含む飛沫の拡散をブロックする役割を果たすアクリル製の透明なシートからなるシート部３１，３２と、シート部３１の周囲を補強する枠体４１，４２からなる。枠体４１，４２は、４つのフレーム部１０と４つのコーナー部２０を接続し、長方形状もしくは正方形状にしたものである。
【００２８】
フレーム部１０は、嵌着及び分離が可能な複数のフレーム要素１からなる。フレーム部１０は、枠体４１，４２の直線部分として使用し。ユーザーが必要とする長さとなるようにフレーム要素１を必要な数だけ直列に接続する。コーナー部２０は、枠体４１，４２の角部を構成するものである。
【００２９】
フレーム部１０とコーナー部２０を接続すると、各フレーム要素１のスリット４とコーナー部２０のスリット２４が連続し、枠体４１，４２の内側にパネル部３１，３２を嵌め込むための連続した溝が形成される。この溝にシート部３１，３２の縁部を嵌め込んで固定する。このようにしてユーザーは、必要とする形状及びサイズに合致した１面構成の飛沫感染防止パネル１０１，１０２を製作できる。
【００３０】
枠体４３ａ〜４３ｄからなる４面構成の飛沫感染防止パネル１０３を製作するときは、後記するクリップ部４０を用いる。これにより枠体４３ａと枠体４３ｂ〜４３ｄの間に隙間が生じず密着して接続することが可能となる。また、フレーム要素１は長手方向に所要の形状のリブが形成されているので、フレーム要素１同士を隣接させるときに角度位置の容易に特定できる。
【００３１】
例えば図３Ａでは枠体４３ａに対し、枠体４３ｂ〜４３ｄは１３５°で固定されているが、これを９０°もしくは１２０°の位置まで回動させることができる。フレーム要素１の表面に設けたリブの形状の凹凸の組み合わせによって隣接する枠体間の角度位置を特定できる。枠体４３ａ〜４３ｄの個々の製作手順は、飛沫感染防止パネル１０１，１０２と同じである。枠体４３ａ〜４３ｄには、それぞれパネル部３３が嵌め込まれている。
【００３２】
屈曲した形状の枠体４４を使用した飛沫感染防止パネル１０４を製作するときは、例えば図９に示すような１２０°の角度のコーナー部２０ａを用いると共に、枠体４４の形状に合致した折れ曲がった形状のシート部３４を使用する。
【００３３】
［クリップ部］（図４Ａ〜図４Ｂ）
４面構成の飛沫感染防止パネル１０３は、枠体４３ａのフレーム部１０と、他の枠体４３ｂ〜４３ｄのフレーム部１０を結合するクリップ部５０を備える。クリップ部５０は、フレーム部１０の外周面と接する保持部５１と、保持部５１同士を連結する連結部５２を有している。図４Ａに示すクリップ部５０においては一方の保持部５１ａと他方の保持部５１ｂの形状は同一である。連結部５２は、一方の保持部５１ａの内側の中央部と、他方の保持部５１ｂの内側の中央部を連結する円柱状の部材である。保持部５１（５１ａ，５１ｂ）の内側には、フレーム部１０を保持した状態をできるように爪５３ａ，５３ｂが形成されている。
【００３４】
［クリップ部の使用方法］（図５Ａ〜図５Ｂ）
フレーム要素１は、その長手方向と交差する方向に溝部５が刻設されている。フレーム部１０同士をクリップ部５０で結合するときは、図５Ａに示すように、一方のフレーム部１０と他方のフレーム部１０の間に溝部５同士を対向させた空間６が形成される。飛沫感染防止パネル１０３では、この空間６にクリップ部５０の連結部５２が嵌合されるようにした。
【００３５】
このようにすれば、図５Ｂに示すように、２つのフレーム部１０を密着させて結合することができるので、例えば４面構成の飛沫感染防止パネル１０３を製作する場合においても、枠体４３ａと枠体４３ｂ〜４３ｄの間からウイルスを含む飛沫が侵入するおそれがなくなる。
【００３６】
［オプション部］（図６Ａ〜図６Ｂ）
本発明の飛沫感染防止パネルは、以上に説明したフレーム部１０（フレーム要素１）、コーナー部２０、シート部３０、クリップ部５０を主な構成要素とするものであるが、必要に応じて、オプション部として、フレーム部１０に任意の物品を取り付けるための取付け手段や、固定対象物にフレーム部１０を固定するための固定手段を備えるようにしてもよい。
【００３７】
例えば図６Ａに示した取付け手段６０は、第１湾曲部６１と第２湾曲部６２を接続部６３で接続した構成である。取付け手段６０はフレーム部１０に取付け可能であると共に、第１湾曲部６１と第２湾曲部６２の各先端に平坦な部分が形成されており、この平坦部がシート把持部６１ａ，６２ａとして機能する。よって、フレーム部１０の任意の箇所に固定手段６０を取り付ければ、把持部６１ａ，６１ｂの間にメモ書き等を挟んでおくことができる。
【００３８】
本考案は上記の例に限らず、各請求項に記載された技術的思想の範疇であれば、適宜実施の形態を変更しても良いことは言うまでもない。
【００３９】
例えば、上記実施例では、溝部５が計４箇所刻設された６０ｍｍサイズのフレーム要素１を開示したが、フレーム要素１の実施形態はこれに限らない。例えば、図７に示すような溝部５ａが３箇所刻設された４５ｍｍサイズのフレーム要素１ａでも良い。必要であれば５〜１０種類程度のサイズを設けても良い。
【００４０】
また、上記実施例では、クリップ部５０は２つの保持部５１ａ，５１ｂの形状が同一の例を示したが、クリップ部５０の実施形態はこれに限らない。例えば図８Ａに示すクリップ部５５のように、一方の保持部５５ｂのサイズを他方の保持部５５ａのサイズよりも小さくしても良い。
【００４１】
この場合、サイズが小さい保持部５５ｂの側は、図８Ａの紙面右下方向あるいは紙面左下方向に開放した形状となるので、この部分からフレーム部１０のスリット４を露出させてシート部３１同士が直交する向きに枠体４１を組み合わせることが可能になる。また、３本のフレーム部１０をＴ字状に組み合わせたい場合は、保持部５６ａ〜５６ｃを備えた図８Ｂに示すような形状のクリップ部５６を用いれば良い。
【００４２】
また、上記実施例では、シート部３０として、アクリル製の透明なシートを使用し、このシートを枠体の溝に嵌め込む例を示したが、シート部の形態及び枠体への取付け方法はこれに限らない。
【００４３】
例えば図１０に示すように、飛沫をブロックするシート部として市販されているマスク３５を使用し、屈曲した形状の枠体４５の屈曲部に横断面円形の棒部材４６を設け、この棒部材４６の前側をくぐらせるようにしてマスク３５を枠体４５に取り付けた実施形態も可能である。このような飛沫感染防止パネル１０５を使用した場合、マスク３５の中央部３５ａには適度な空間が形成されるので、ユーザーは呼吸がしやすくなり、マスク内の蒸れ防止となり、特に夏場の使用において熱中症の予防にもなる。
【００４４】
また、上記の実施例では、フレーム部１０にメモ用紙などのシートを取り付けるための取付け手段６０を開示したが、取付け手段６０の用途はこれに限らず、例えばオンライン会議で使用するＷＥＢカメラを取り付け可能な構成にしても良い。
【００４５】
また、本考案は、オプション部として、固定対象物に枠体４２のフレーム部１０を固定するための固定手段７０を設けても良い。例えば図１２に示す固定手段７０は、適量の水が入ったペットボトルに飛沫感染防止パネル１０２を固定するためのものである。このような固定手段７０を用いれば、身の回りにある物を利用して簡単に飛沫感染防止パネル１０２を設置できるようになる。
【００４６】
また、上記の実施例では、Ｌ字状のコーナー部２０でフレーム部１０同士を平面的に接続する例を開示したが、コーナー部２０の実施形態はこれに限らない。例えばＬ字状のコーナー部を平置きした状態で、一方の端からは上方に、他方の端からは下方に伸びる延長部を設ければ、フレーム部１０とフレーム部１０を３次元的に接続することができる。
【符号の説明】
【００４７】
１，１ａ  フレーム要素
１０  フレーム部
２０，２０ａ  コーナー部
３１，３２，３３，３４，３５  シート部
４１，４２，４３ａ〜４３ｄ，４４，４５  枠体
５０，５５，５６  クリップ部
６０  取付け手段
７０  固定手段
１０１，１０２，１０３，１０４，１０５  飛沫感染防止パネル
【図１Ａ】
0003228271.tif 000003
【図１Ｂ】
0003228271.tif 000004
【図２Ａ】
0003228271.tif 000005
【図２Ｂ】
0003228271.tif 000006
【図３Ａ】
0003228271.tif 000007
【図３Ｂ】
0003228271.tif 000008
【図３Ｃ】
0003228271.tif 000009
【図４Ａ】
0003228271.tif 000010
【図４Ｂ】
0003228271.tif 000011
【図５Ａ】
0003228271.tif 000012
【図５Ｂ】
0003228271.tif 000013
【図６Ａ】
0003228271.tif 000014
【図６Ｂ】
0003228271.tif 000015
【図７】
0003228271.tif 000016
【図８Ａ】
0003228271.tif 000017
【図８Ｂ】
0003228271.tif 000018
【図９】
0003228271.tif 000019
【図１０】
0003228271.tif 000020
【図１１】
0003228271.tif 000021